【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
一周波数、一波を３６０°一波長１λとする正弦波の高周波の９０°１／４λの最高電圧に成った時、その電圧を高周波電圧検出回路にて検出し、１波長でスイッチ素子にて発信高周波を切る、そして一波長の９０°の時の高周波電圧を検出して、時分割カウンタ回周回路にて、ビット又はパルスを作り、同時に回周回路、即クロックでもある、ここでタイミングパルスを５分周或いは６分周のパルスを作り発振する。ここで１ビット目即ちフラッグビットとし時分割用のビットでもある、そして１ビットマシン、プラス４ビットマシンにて構成し、１ビットマシンは機器にスイッチの入っている時、定常的に１ビット即ちフラッグビットを発振する。そして４ビットにて音、画像、文字等を表現する、そして５ビットマシンにてパラレル出力する、そしてパラレル・シリアルコンバータにてシリアル出力に変換してスイッチ素子にて、搬送波通信と同様に電波１波毎、高周波増幅し、更に電力増幅してアンテナより発射する、そして受信機側で高周波３６０°正弦波を高周波増幅後従来のＡＭ検波にて高周波３６０°の正弦波を正電圧正弦波１８０°にし、これを一つのパルス又はトリガパルスとしパルス整形して、シリアルに連続して来る信号又はパルスをシリアル・パラレルコンバータ等に依ってフラッグビットを取り除き０から４迄の数値として認識する、そして音、画像、文字等として表現する、ここでフラッグビットは時分割と複数チャンネルの分割用マーカでもある。
【請求項２】
スイッチ素子で例えば１００ＭＨｚを２波又は４波を初めの一波長３６０°高周波正弦波３６０°の最初の９０°１／４λの高周波電圧を検出して、２波毎又は４波毎の時間等を予め決めておき、送信機変調部でスイッチ素子にて搬送波方式ＰＣＭとする、そしてフラッグビットを１つ作り時分割マーカとして、音、画像、文字等の信号は４ビットで０から４迄の数で表現し、１ビットプラス４ビットで１ユニットとし５ビット毎送信する、更に受信機では受信した搬送波を増幅して２波毎又は４波毎の内の１波の数倍の高周波を逓倍回路で発振させておき、混合、重畳合成しても良いし、そして平滑コンデンサ、コイルなどで平滑して、ＡＭ検波方式で高周波正電圧のみにし、これを１波トリガパルスとして認識し、更にパルス整形回路で整形し、１つのパルスとして、時分割用フラッグビットと４ビット毎として０から４の数を認識して音、画像、文字を表現できる、フラッグビットで回周回路で時間即ちクロックでもありタイミングパルスにてスイッチ素子にて時分割し、複数チャンネルを搬送波方式で送受信出来る。
【請求項３】
例えば１００ＭＨｚの高周波と送信機側でＦＭ変調を行い、受信機で受信して、高周波増幅して高周波フィルタでＦＭ変調波を特定の例えば１００ＭＨｚの基準波のみをフィルタで通過させ、ＦＭ変調周波数変化分は捨て、搬送波のみにし、搬送波、高周波の数倍の高周波を混合、重畳合成回路にて重畳して、ＡＭ検波方式で高周波正電圧のみにし、平滑コンデンサ、コイルなどで平滑してこれを１波トリガパルスとして認識し、更にパルス整形回路で整形し、１つのパルスとして、時分割用マーカとしてのフラッグビットと４ビット毎の０から４迄の数又は符号とし、フラッグビットを１ビット、４ビットでプラスして５ビットを１つのユニットとして送受信して、時分割用マーカフラッグビットでカウントして同時に回周回路で時間即ちクロックでもありタイミングパルスにてスイッチ素子にて時分割し、複数チャンネルを、ＦＭであるが、１高周波周波数で受信出来る、一種のＦＭ搬送電波方式ＰＣＭである。
【手続補正２】
【補正対象書類名】明細書
【補正対象項目名】全文
【補正方法】変更
【補正の内容】
【発明の詳細な説明】
【発明の名称】搬送方式ＰＣＭ装置
【技術分野】
【０００１】  本発明は、搬送波方式ＰＣＭに関する。
【背景技術】
【０００２】  従来のディジタル無線通信はＦＭ変調方式で超音波を用いた、又は超音波を一つのパルスと認識して、一つのパルスとした、一つのＦＭ方式であった、又、ＡＭ／ＰＭ法も又ある種一つの音をパルスと認識して一つのパルスとした。
【発明の開示】
【発明が解決しようとする課題】
【０００３】  従来のＦＭ変調を用いた、ディジタル送受信機では周波数帯域が広く、また超音波を用いたパルスだと情報量に限界が有り、その為ＦＭ変調超音波を１段にしたり、２段にしたりしていたが、周波数帯域が広くなり１チャンネル当たりの情報量を多くすると高周波周波数帯域が広くなり、結局周波数の帯域が広くなり、同一周波数内での情報量の限界となった。【０００４】  本発明では従来のＦＭ変調方式の超音波の広帯域方式等では１チャンネル当たりの高周波の帯域が広くなり、限界であった、そこで狭帯域の一高周波複数チャンネルの搬送方式ＰＣＭ送受信機を提供することを目的としている。
【課題を解決するための手段】
【０００５】  本発明は上記目的を達成するために時割用ビット、即ちフラッグビット又は時分割ビットを考案し更に一波長１λ一高周波３６０°正弦波の内、一波長１λの１／４λ、又は一高周波３６０°の内９０°の最高電圧になった時に検出して高速スイッチ素子で高周波電圧を切る、この時予めスイッチ素子迄の遅れ時間を計算しておく、そして従来搬送波方式ＰＣＭが遅く使わなかったのは検波の後、検出はビート方式で、音で聴き検出していた為である。この為検出回路をＡＭ検波して、高周波正電圧に成る、即ち一高周波１８０°に成る、これを認識する為に一高周波をＡＭ検波してコイルＬ、コンデンサＣ等により平滑して一つの正電圧高周波として認識して一つのパルス又はパルス整形回路にてトリガパルスとする、そしてそのトリガパルスをパルスと認識して、音、画像、文字等として認識、表現する。【０００６】  搬送波方式ＰＣＭ通信機にては、アンテナで受信し通常の高周波増幅回路とスーパーヘトロダイン方式の混合回路を経て中間増幅回路を経て高周波１波長３６０°の高周波を一種のＡＭ検波回路で正電圧１８０°１／２λの高周波をトリガパルスとしてパルス整形回路でパルスとして、フラッグビット又は、時分割ビットとして回周回路これはクロックの同期信号でもある、フラッグビット又は時分割ビットと１ビットプラス４ビットとして５ビット毎受信する、そしてシリアル・パラレルコンバータにて時分割ビット又はフラッグビットにて、４ビットの０から４迄を認識し、時分割の為のパラレルパルス信号をフラッグビット又は時分割ビットを時分割カウント回周回路でカウントして、更に時分割カウント回周回路ではフラッグビット又は時分割ビットを認識して時分割回周回路を動作させ、これは同期信号でもある、この同期信号にてスイッチ素子にて切り換えて４ビット毎認識して通常の４ビット毎の信号とする。【０００７】  本発明では例えば１００ＭＨｚの最初の一波長１λの一周波３６０°の１／４λ９０°の所の高周波電圧の最高電圧の所で認識、検出してスイッチ回路を介してスイッチ素子にて切り、時間で２波長又は４波長を認識して又２波長又は４波長毎の間隔を開け、ＯＮ、ＯＦＦとする、更に時分割の為の時分割ビット用として１ビットプラスして、４ビットプラス１ビット毎の５ビット毎送信する、この為４ビットマシンプラス１ビットマシンを追加したような５ビットマシンとして、送信側の変調する為に、時分割の為の１ビットプラスの４ビットの５ビットマシンから、送信側の変調する為に、先の５ビットから、時分割４ビット用の１ビット信号又はパルスはクロック回路から定常的に出力し、他の４ビットのパルスは信号又は情報の状態に依って、０から４迄のパルス又はビットとしてパラレル・シリアルコンバータから送信側変調機、高周波発信回路の次の高周波増幅回路の所でスイッチ素子により、高周波を切り、しかしながら時分割用又は回周回路これはクロック信号でもある、このクロック信号の時分割ビットとして高周波は定常的に送信し続ける、そして４ビットの高周波で音、画像、文字を認識する。【０００８】  受信機側ではアンテナで受信して高周波増幅してスーパーヘトロダイン方式で高周波増幅して混合回路を経て中間増幅して、逓倍回路にて約数倍くらいの高い周波数にしてＡＭ検波して、正電圧の高周波、２波長又は４波長分の正電圧高周波をコイルＬ又はコンデンサＣにて平滑して一つのパルスとこれをトリガパルスとしても良いし、又はトランジスタのリレー効果の内遮断周波数のある程度遅い物を使用して、一種のリレーのチャタリングを行わせ、プラス側に止まらせ、周波数、２波長又は４波長の数倍の周波数を一つの一波とし、これをトリガパルスとしてパルス整形回路に入力してパルスとして認識する、そして時分割パルス或いはビットとし、プラス４パルス又は４ビットにて受信してディジタル受信機とする、更に時分割ビットを用いて回周回路を動作させ、更に時分割ビットを用いてチャンネルセレクターを動作させ複数チャネルの受信が出来る。【０００９】  受信機ではアンテナで受信して高周波増幅してスーパーヘトロダイン方式で混合回路を経て中間増幅してＡＭ検波して２波長と２波長間隔毎後空ける、又は４波長毎と４波長間隔を空け、数倍の高周波、周波数重量合成又は数倍に周波数を上げコイルＬ、コンデンサＣにて平滑してパルスとして認識しても良い、又はトランジスタのチャタリングの効果の一種を使用してプラスのみのパルス正電圧は拾う方式でも良い、これによりトリガパルスを作り、パルス整形回路にてパルスとして認識する、更に一周波数で複数チャネルにする為フラッグビット又は時分割ビットにて時分割を予め設けておきチャンネルセレクターで一周波数で複数チャンネル出来る。【００１０】  更にＦＭ変調でも前記同様に出来る、送信機側でＦＭ変調を行う、この為には一周波３６０°、一波長１λの一周波９０°、一波長１／４λの高周波電圧を検出して増幅してＦＭ変調を行う、そして２波長又は４波長変調と行う、そして搬送波方式ＰＣＭしても良い、受信機側でＦＭ変調部分を高周フィルタで取り除いて、搬送波方式ＰＣＭとする。【００１１】  送信機側でＦＭ変調搬送波方式ＰＣＭ行い、受信機側でＦＭ変調部分を高周波フィルタで取り除き発振周波数又は基準波のみにて搬送波ＰＣＭにして、一種の重量合成又は混合回路により２倍又は３倍位の高周波に逓倍してＡＭ検波してコイルＬ、又はコンデンサＣにて平滑して、一つの波、若しくはパルスとして、これをトリガパルスとして認識してパルス整形回路にてパルスとして時分割パルス又は時分割ビットとしてチャンネルセレクターを動作させ、一周波数狭帯域で複数チャンネルが送受信出来る。
【発明を実施するための最良の形態】
【００１２】  以下、本発明の実施形態を図１〜図９に基づいて説明する。【００１３】  本発明ではフラッグビット１又は時分割ビット１を考案し又搬送波方式ＰＣＭで狭帯域で情報量が多いものを提供する為に以下図面にて説明する。  図１においてフラッグビット１又はカウンタビット１はディジタル送受信に際して予め時分割の為のビット即ち時分割ビット１でもある、又０ビット２から４ビット２迄情報の内容によって変わってくる、図４のサインカーブのある特定の周波数例えば１００ＭＨｚとすると送信に際して１波長１λ１周波３６０°図４の２２でないと、無線通信に関して送信できない、但し１波長の内１／４λ９０°図４の２２ａの所で高周波電圧を検出してスイッチ素子に指令して、スイッチを切る動作は出来る、これは１波長１λ１周波３６０°２２でないとアンテナより発信できない、この為に１周波９０°２２ａの所又は１波長１λの内１／４λ２２ａの所で最高の所の高周波電圧を検出して１周波３６０°２２又は１波長１λの所でスイッチ素子７の遅れを予め計算しておき１周波３６０°２２又は１波長１λ２２の送信とする、又一つの高周波を送った後、次の信号の為と受信の時の認識し易くする為少なくとも１波長又は１周波、間隔を開ける、又はＯＮ、ＯＦＦとする。【００１４】  図２にて説明すると、水晶発振子３と発振回路４にて高周波を発振させ、高周波検出回路５にて１周波３６０°２２の内プラス側９０°２２ａの所の最高電圧を検出して認識して最低１周波、これは１０周波間隔毎にフラッグビット１又は時分割ビット１を作り、４ビットマシンに１ビットマシンをプラスして５ビットマシン１２にて時分割の為のフラッグビット１又は時分割ビット１を時分割カウント回周回路６にて常に出力させ、情報内容に依って図１の０ビットから４ビット迄の出力を５ビットマシン１２で制御し、これをパラレル・シリアルコンバータ１１にてシリアル出力としてスイッチ素子７にて１周波３６０°２２、１波長１λの所でスイッチを切り高周波を切る、そしてフラッグビット１又は時分割ビット１と情報に依り図１の０ビット２から４ビット２迄の内容を高周波増幅回路８を経て電力増幅回路９を経てアンテナ１０より出力、送信する。音、画像、文字等の入力部１３から０ビットから４ビット迄の数字で表現し、音、画像、文字等入力部１３から１ビットプラス４ビットの５ビットマシン１２にてタイミングを合わせ１ビットは時分割ビット１である、そしてパラレル・シリアルコンバータ１１にて搬送波１周波３６０°２２、１波長１λ２２の出力に成る様に、水晶発振子３と発振回路４にて発振して高周波電圧検出回路５を経て時分割カウント回周回路６よりタイミングパルス又はクロックを出力する、そして送信は１周波３６０°２２、１波長１λ２２とし、１周波３６０°２２、１波長１λ２２を予め特定周波数から割り出した時間で１周波又は１波長を抜く又は間隔を空ける事に依り受信機側で認識し易くする。【００１５】  図３を用いて１パルス、１周波数３６０°２２、１波長１λ２２の認識方法を説明する、アンテナ１４にて受信して従来と同様の高周波増幅回路１５に増幅してダイオード１６にてＡＭ検波して図４の高周波１８０°２３、１／２波長２３、１／２λ２３としこ��をパルス整形回路１７にて図４高周波１８０°２３のプラス高周波正電圧をパルス整形回路にてトリガパルスとして認識して、一つのパルスとして、フラッグビット１又は時分割ビット１を時分割からカウント回周回路１９で認識して０ビット２から４ビット２迄の情報信号即ちパルス２を認識する。【００１６】  図３のＡ鎖線内拡大図、図５を用いて上述の動作を説明する、１高周波３６０°２２、１波長２２１λの高周波をダイオード１６にＡＭ検波して正電圧高周波１８０°２３としてこれをトリガパルスの基としてパルス整形回路１７にて通常のパルスとし、フラッグビット１又は時分割ビット１を時分割カウント回周回路１９にて認識する為、送信機側から例えばフラッグビット１又は時分割ビット１だけを常に送信し、受信して時分割カウント回周回路のみを動作させ、ここでクロックを作る、そして情報の０，を送信した後、フラッグビット１又は時分割ビット１の後何番目かのフラッグビット１又は時分割ビット１から０ビット２から４ビット２までの数字で何番目からの情報を認識する為、時分割カウント回周回路１９とチャンネルセレクタで何番目の信号又は情報をシリアルで入力してくる信号又は情報をシリアル・パラレルコンバータ１８にてパラレル信号に変換して時分割カウント回周回路１９にて何番目の信号を認識して識別して選択する為、チャンネルセレクタ２０に連続して来る信号の内、例えば何番目の信号又は情報を選択する為チャンネルセレクタ２０で決定し、時分割カウント回周回路１９に指令してスイッチ素子１９ａにてタイミング良くスイッチ素子１９ａを開閉してパラレルの信号を選択して拾う、そしてパラレル・シリアルコンバータ２４にてシリアル信号に戻し、音、画像、文字等の情報を表現部２１で表現する。【００１７】  図５のチャンネルセレクタ２０は時分割カウント回周回路１９から来る、フラッグビット１又は時分割ビット１の信号又はパルスにてクロックとして、何番目かの信号を拾うよう時分割カウント回周回路１９に信号を送り何番目毎の信号のみをスイッチ素子１９ａにて開閉して目的の信号情報を得る。【００１８】  上述は５分周でクロックに対して０ビットから４ビット迄表現するが６分周にした場合は５ビット目が常に空ける又は０ビットとするとその部分に常に信号が来ない為或る意味認識しやすい、但し情報量は中間トランスと中間増幅器の周波数にて決定する。【００１９】  図２を用いて２高周波７２０°２７、２波長２λ２７毎の送信機の働きを説明する、水晶発振子３と発振回路４と例えば１００ＭＨｚを発振する、そして高周波電圧検出回路５で、高周波電圧９０°２２ａ、１／４λ２２ａの所で検出して、時分割カウント回周回路６でフラッグビット１又は時分割ビット１を作り同時にクロックを作り、１ビットプラス４ビットマシンの５ビットマシン１２の内１ビットのみ常にクロックに応じて信号を出力しておく、そして音、画像、文字等の入力部１３からの情報を１ビットプラス４ビットマシンの５ビットマシン１２に入力して０ビットから４ビットまでの信号を処理してパラレル・シリアルコンバータ１１に入力し、信号又は情報をシリアル信号化してスイッチ素子７にて、例えば１００ＭＨｚの内高周波の２周波７２０°２７又は２波長２λ２７毎の高周波の波を切り、２高周波７２０°２７又は２波長２λ２７毎間隔で切り、高周波増幅回路８に増幅して、電力増幅回路９で高周波電力増幅してアンテナ１０から送信する。【００２０】  ２高周波７２０°２７又は２波長２λ２７の間隔を開けて送信する場合、水晶発振子３と発信回路４の発振し続ける高周波から高周波の最高電圧９０°２２ａ、１／４λ２２ａの所を高周波電圧検出回路５、時分割カウント回周回路６、５ビットマシン１２、パラレル・シリアルコンバータとスイッチ素子７迄の回路内の時間遅れを予め計算して設定しておき、２高周波７２０°２７又は２波長２λ２７間隔毎のスイッチ素子７のＯＮ、ＯＦＦを決定しておくことに依って受信機側で認識できる。【００２１】  図６と図７を用いて２高周波２７、２波長２λ２７毎の間隔のある意味でのＯＮ、ＯＦＦの搬送波の受信と認識の実施例を説明する、ある種ＯＮ、ＯＦＦ信号の搬送波、高周波、２高周波７２０°２７又は２波長２λ２７毎の高周波信号をアンテナ１４で受信して高周波増幅回路１５、ここで高周波増幅回路１５は高周波増幅付スーパーヘトロダイン方式で良い、そして中間増幅からの又は高周波増幅回路１５からの高周波から逓倍回路２６にて数倍の高周波２８にして、重畳合成回路２５，これはある種混合回路であり図７は周波数を数倍の高い周波数２８にする事に成る、そしてダイオード検波６にてＡＭ検波してパルス整形回路１７にて搬送波を平滑する事に成る、平滑法としては、コイルＬ、コンデンサＣ等に依り行う又はトランジスタのリレー効果の内、弱点の内ある種、遮断周波数のその周波数より若干低い物を用いると、チャタリング現象が出る、このチャタリング現象の内、ある周波数だとプラス又はマイナス側のいずれかの所で停止してしまう、これを利用してプラス側に成る様にして一つのパルスと認識しても良い、そしてパルス整形回路１７からのパルス又はビットを送り出す。【００２２】  パルス整形回路１７からのパルス又はビットを図６の時分割カウント回路１９にてクロックを調整して、この時図１の時分割ビット１を検出して、図１の時分割ビット１と０ビット２から４ビット２迄の情報数字は図１のシリアルパラレルコンバータ１８にて並列にしてスイッチ素子群又はスイッチ回路１９ｂにて何番目からの情報のみを選択する、この選択に当たりチャンネルセレクタ２０にて特定する、そして選択された並列のパラレル信号をパラレル・シリアルコンバータにてシリアルにしても良い、そして音、画像、文字等表現部２１で表現する。【００２３】  図８に基づいて搬送波方式ＦＭ変調ＰＣＭについて説明する。水晶発振子３と発振回路４にて例えば１００ＭＨｚを発振する、そして高周波電圧検出回路５に高周波電圧９０°２２ａの所で最高電圧を検出して図１のフラッグビット１又は時分割ビット１を時分割カウント回周回路６にて作る、この時２高周波２７、２波長２λ２７又は４高周波４波長４λ毎の間隔で１ビットする様にする為、音、画像、文字等入力部１３からの情報を時分割カウント回周回路から来るフラッグビット１又は時分割ビット１をクロックとして１ビットプラス４ビットマシンの５ビットマシン１２にて同期させ、並列信号をパラレル・シリアルコンバー���にてシリアルにし発振回路４から来る高周波をＦＭ変調回路３３にて、水晶発振子３と発振回路４から成る例えば１００ＭＨｚの発振高周波を基準として、ＦＭ変調を掛けると周波数が変化する、そしてそのまま高周波増幅回路８にて高周波増幅して電力増幅回路９にて電力増幅してアンテナ１０から電波を発射する。【００２４】  音、画像、文字等入力部１３から入力し、Ａ／Ｄコンバータ等でデジタル化して、０ビットから４ビット迄のビットで表現し１ビットプラス４ビットマシンの５ビットマシン１２に入力しここで５ビットマシンの１ビットは時分割回周回路６から来る、ある種クロックでもあり常時出力しておくフラッグビット１又は時分割ビット１と成りシリアル・パラレルコンバータ３０からＦＭ変調回路３３に入力してＦＭ変調する。【００２５】  図９に基づいて搬送波方式ＦＭ変調ＰＣＭ受信機の説明をする。搬送波方式ＦＭ変調ＰＣＭ電波をアンテナ１４で受信して、高周波増幅回路１５の内、高周波増幅してスーパーヘトロダイン方式で中間増幅してフィルタ２１にて搬送波方式ＦＭ変調変化部分をフィルタ２１にて除去して、送信機側、水晶発振子３と発振回路４の発振高周波のみとして受信機側で２高周波７２０°２７、２波長２λ２７又は４高周波１，４４０°、４波長４λを重畳合成回路２５に入力するが、重畳合成回路は混合回路でもある、そしてもう一つは逓倍回路２６に入力して２〜３倍位の高周波を重畳合成回路２５に入力して図７の重畳合成した高周波２７ａ、２８ａをダイオード６でＡＭ検波し正電圧高周波２７ａ、２８ａとしてパルス整流回路１７でコイルＬ又はコンデンサＣ等、又はトランジスタスイッチ素子としての効果の内リレーとしての役割の内遮断周波数の遅い物を使用するとチャタリングが起きその内プラス、マイナスどちらか側に引き付く効果があり、プラスの付く様なものを使用して一つのパルスと認識しても良い。【００２６】  図９のパルス整流回路１７から出力して来る、パルスを一つのビットとし図１のフラッグビット１又は時分割ビット１を一つのクロックとして時分割カウント回周回路１９を動作させ、時分割ビットの内何番目毎を一つのチャンネルとしてチャンネルセレクタ２０にて選択して、時分割カウンタ１９から信号をスイッチ回路１９ｂに送り、内部のスイッチ素子にて開閉の信号送りパルス整形回路１７から来るパルスの時、図１のビット２即ち情報パルス又は情報ビットでもある０から４ビット２迄の数で、これをパラレル・シリアルコンバータ２４でシリアル出力としてＡ／Ｄコンバータ等で音、画像、文字等表現部２１で表現する。
【図面の簡単な説明】
【００２７】
【図１】本発明の実施形態を示すフラッグビット１と０ビット２から４ビット２迄の図
【図２】本発明を実施する為の搬送波方式ＰＣＭ送信機のブロック図
【図３】搬送波方式ＰＣＭ受信機ブロック図
【図４】搬送波通信の高周波正弦波３６０°の図
【図５】搬送波方式ＰＣＭ受信機図３のＡ鎖線内拡大ブロック図
【図６】２高周波７２０°の搬送波ＰＣＭ受信機ブロック図
【図７】搬送波方式通信の重畳合成波図
【図８】搬送波方式ＦＭ変調送信機ブロック図
【図９】搬送波方式ＦＭ変調受信機ブロック図
【符号の説明】
【００２８】  １  フラッグビット又は時分割ビット  ２  情報ビット  ３  水晶発振子  ４  発振回路  ５  高周波電圧検出回路  ６  時分割カウント回周回路  ７  スイッチ素子  ８  高周波増幅回路  ９  電力増幅回路  10  アンテナ  11  パラレル・シリアルコンバータ   12  ５ビットマシン  13  音、画像、文字入力部  14  アンテナ  15  高周波増幅回路  16  ＡＭ検波ダイオード  17  パルス整形回路  18  シリアル・パラレルコンバータ  19  時分割カウント回周回路  19ａスイッチ素子  19ｂスイッチ素子回路  20  チャンネルセレクタ  21  音、画像、文字表現部  22  高周波正弦波３６０°  22ａ高周波正弦波９０°１／４λ  23  高周波ＡＭ検波後１８０°  24  パラレル・シリアルコンバータ  25  重畳合成回路  26  逓倍回路  27  搬送波高周波  27ａ搬送波高周波検波後  28  高周波逓倍波  28ａ高周波逓倍波検波後  29  ＦＭ変調回路  30  パラレルシリアルコンバータ  31  中間増幅高周波フィルタ 
【手続補正３】
【補正対象書類名】図面
【補正対象項目名】全図
【補正方法】変更
【補正の内容】
【図１】
2007150771.tif 000001
【図２】
2007150771.tif 000002
【図３】
2007150771.tif 000003
【図４】
2007150771.tif 000004
【図５】
2007150771.tif 000005
【図６】
2007150771.tif 000006
【図７】
2007150771.tif 000007
【図８】
2007150771.tif 000008
【図９】
2007150771.tif 000009